(57)【要約】      （修正有）【課題】地震などの複雑な揺れや振動によって充分に対応することができ、簡単に分解して移動することができると共に災害時の倒壊を防止することが可能な墓石の固定用化粧金具を提供する。【解決手段】下台、中台、上台、スリン、蓮華、竿石などから構成される墓石を固定する金具であって、下台と当該下台に載置された中台との接合端部に下台の水平面に固定される水平固定部と垂直な中台の側面を固定する垂直固定部とから構成した複数個の第１の化粧金具と、中台と当該中台に載置された上台あるいは竿石との接合端部に中台の傾斜面に固定される傾斜固定部と垂直な上台あるいは竿石の側面を固定する垂直固定部とから構成した複数個の第２の化粧金具とにより墓石を固定するように構成した。【選択図】      図１
0003100664.tif 000002
【実用新案登録請求の範囲】
【請求項１】
下台、中台、上台、スリン、蓮華、竿石などから構成される墓石を固定する金具であって、下台と当該下台に載置された中台との接合端部に下台の水平面に固定される水平固定部と垂直な中台の側面を固定する垂直固定部とから構成した複数個の第１の化粧金具と、
中台と当該中台に載置された上台あるいは竿石との接合端部に中台の傾斜面に固定される傾斜固定部と垂直な上台あるいは竿石の側面を固定する垂直固定部とから構成した複数個の第２の化粧金具とにより墓石を固定するようにしたことを特徴とする墓石の固定用化粧金具。
【請求項２】
請求項１に記載する第１の化粧金具及び第２の化粧金具の水平固定部あるいは傾斜固定部と垂直固定部との間に段差固定部を形成したことを特徴とする墓石の固定用化粧金具。
【請求項３】
下台、中台、上台、スリン、蓮華、竿石などから構成される墓石を固定する金具であって、上台と竿石との間に載置されるスリン、蓮華等との接合端部に上台の接合面に固定される接合固定部と湾曲したスリン、蓮華等の側面を固定する湾曲固定部とから構成した複数個の湾曲化粧金具により墓石を固定するようにしたことを特徴とする墓石の固定用化粧金具。
【考案の詳細な説明】
【技術分野】
【０００１】
本考案は、墓石の固定用化粧金具に関するものである。
【背景技術】
【０００２】
和型墓石の一般的な構造としては、図１５に示すように略直方体の下台Ａと、当該下台Ａの上面中央に載置された中台Ｂと、当該中台Ｂの上面中央に載置された上台Ｃと、当該上台Ｃの上面中央に載置された縦長の竿石Ｄが知られている。Ｅは下台Ａの前面に配置される香炉台であり、香炉のほか、花台や水鉢などが載置されるものである。
【０００３】
これらの和型墓石は比較的高く設置されることから、これらの和型墓石を地震などによる倒壊を防止して墓石を固定する手段として、それぞれの墓石間をコンクリートによって固定する手段の他、例えば下台と中台とを一体的に構成したり、あるいは上台と竿石とを一体的に構成したものがあった。また、例えば上台や中台の上下面に嵌合凸部を形成しておき、これらと当接する竿石や下台の上下面に嵌合凹部を形成することにより、墓石を固定する手段があった。更には、竿石、上台、中台などを貫通するようにボルト固定具を装着して墓石を固定する手段があった。
【考案の開示】
【考案が解決しようとする課題】
【０００４】
しかるに、墓石をコンクリートで固定する手段では墓石の倒壊については防止することはできるものの、墓石を移動しなければならない場合などの際には墓石を移転できなくなるという課題を有している。
【０００５】
また、墓石を構成する下台と中台、あるいは中台と上台などを一体的に構成する手段として、上台や中台などの上下面に嵌合凸部や嵌合凹部を形成する手段がある。その場合には、墓石の倒壊についてはある程度防止することはできるものの、構成部材の製造工程において複雑化するという課題を有している。
【０００６】
更に竿石、上台、中台などを貫通するようにボルト固定具を内部に装着して墓石を固定する手段によれば、同様に墓石の倒壊については防止することはできるものの、直下型や横揺れ型のような地震の場合には、複雑な揺れや振動によって充分に対応することができないという課題を有している。
【課題を解決するための手段】
【０００７】
本考案は上記のような課題を解消しようとするもので、次のような手段を講じたものである。
【０００８】
登録を受けようとする第１の考案は、下台、中台、上台、スリン、蓮華、竿石などから構成される墓石を固定する金具であって、下台と当該下台に載置された中台との接合端部に下台の水平面に固定される水平固定部と垂直な中台の側面を固定する垂直固定部とから構成した複数個の第１の化粧金具と、
中台と当該中台に載置された上台あるいは竿石との接合端部に中台の傾斜面に固定される傾斜固定部と垂直な上台あるいは竿石の側面を固定する垂直固定部とから構成した複数個の第２の化粧金具とにより墓石を固定するようにしたことを特徴とする墓石の固定用化粧金具である。
【０００９】
登録を受けようとする第２の考案は、請求項１に記載する第１の化粧金具及び第２の化粧金具の水平固定部あるいは傾斜固定部と垂直固定部との間に段差固定部を形成したことを特徴とする墓石の固定用化粧金具である。
【００１０】
登録を受けようとする第３の考案は、下台、中台、上台、スリン、蓮華、竿石などから構成される墓石を固定する金具であって、上台と竿石との間に載置されるスリン、蓮華等との接合端部に上台の接合面に固定される接合固定部と湾曲したスリン、蓮華等の側面を固定する湾曲固定部とから構成した複数個の湾曲化粧金具により墓石を固定するようにしたことを特徴とする墓石の固定用化粧金具である。
【考案の効果】
【００１１】
第１の考案によれば、墓石を固定する下台や中台、中台や上台あるいは上台や竿石との間において、簡単に固定することが可能な固定幼化粧金具を提供することができる。
【００１２】
第２の考案によれば、墓石を固定する下台や中台あるいは上台等の間において、傾斜部分があるとしても固定金具として対応することができる。
【００１３】
第３の考案によれば、墓石を固定する上台や竿石等の間において、スリンや蓮華などを配置した墓石であっても固定金具として対応することができる。
【実施例１】
【００１４】
以下に本考案の実施例について説明すると、図１は本考案に係る墓石の固定用化粧金具により墓石を固定した状態の正面図で、図２は同墓石を分解した状態の正面図で、図３は第１考案に係る墓石の固定用化粧具の斜視図であり、図５は図３における断面図である。
【００１５】
和型墓石の一般的な構造としては、略直方体の下台１と、当該下台１の上面中央に載置された中台２と、当該中台２の上面中央に載置された上台３と、当該上台３の上面中央に載置された縦長の竿石４から構成されている。５は下台１の前面に配置される香炉台であり、図示しない香炉のほか、花台や水鉢などが載置されるものである。６はスリンであり、７はスリン６を載置するための座布団である。
【００１６】
８は上記のように構成される墓石を接合固定する第１の化粧金具であり、４個の化粧金具によって接合される。当該金具８は、下台１と当該下台１に載置された中台２との接合端部に下台１の水平面１ａに固定される水平固定部９と、垂直な中台２の側面２ｂを固定する垂直固定部１０とから構成されている。水平固定部９には下台１の水平面１ａに固定するための孔９ａが穿設されており、図示しないボルトなどにより水平面１ａに固定される。そして、接合される中台２の垂直な側面２ｂを４個の化粧金具の垂直固定部１０によって固定される。１０ａは垂直固定部１０に穿設した孔であり、該孔１０ａにより図示しないボルトなどにより中台２の側面２ｂを固定する。図示の実施例においては１個の孔１０ａが穿設されているが、２個穿設してもよい。
【００１７】
なお、中台２の側面２ｂと垂直固定部１０とはボルトなどにより固定されてはいるが、固定しなくてもよい。化粧金具により完全に固定してしまうと、地震などの複雑な振動に対して柔軟な対応ができないおそれがあるためである。
【００１８】
１１は第２の化粧金具であり、同様に４個の化粧金具によって接合される。第２の化粧金具１１は、中台２と当該中台２に載置された上台３あるいは竿石４との接合端部に中台２の傾斜面２ａに固定される傾斜固定部１２と、垂直な上台３あるいは竿石４の側面３ｂ、４ｂを固定する垂直固定部１３とから構成されている。傾斜固定部１２には中台２の傾斜面２ａに固定するための孔１２ａが穿設されており、図示しないボルトなどにより傾斜面２ａに固定される。そして、接合される上台３の垂直な側面３ｂを４個の化粧金具の垂直固定部１３によって固定される。１３ａは垂直固定部１３に穿設した孔であり、該孔１３ａにより竿石４の側面４ｂを図示しないボルトなどにより固定するものである。
【００１９】
なお、上記の実施例においては、下台１や中台２、上台３及び竿石４等は立方体形状に形成されているが、円柱形状であっても良いこと勿論である。
【実施例２】
【００２０】
図４は第１の化粧金具８の第２実施例であり、図６は図４の断面図である。この実施例においては、水平固定部９と垂直固定部１０との間に段差部１４を形成したものである。当該段差部１４は、例えば下台１の上面に飾り段部を形成したり、あるいは下台１と中台２との間にプレートなどを配置した場合に、これらを一体的に固定するのに適したものとなる。
【００２１】
図８は第２の化粧金具１１の第２実施例であり、図１０は図８の断面図である。この実施例においては、傾斜固定部１２と垂直固定部１３との間に段差部１５を形成したものである。当該段差部１５は、例えば中台２の上面に飾り段部を形成した場合、あるいは中台２と上台３あるいは竿石４との間にプレートなどを配置した場合に、これらを一体的に固定するのに適したものとなる。
【実施例３】
【００２２】
図１１は、第３考案に係る墓石の固定用化粧具の斜視図であり、当該化粧具は上台３と竿石４との間にスリンや蓮華などを配置した場合の第３の化粧金具として用いるものである。図示の実施例においては、竿石４と上台３との間にスリン６と、更に座布団７を配置した場合を示してある。また、上台３の上面には座布団７との美観を配慮して飾り段部３ｃが形成されている。そのために当該第３の化粧金具１６は、上台３の飾り段部３ｃに固定するための湾曲固定部１７と、当該湾曲固定部１７に連接して座布団固定部１８及びスリン固定部１９が一体的に連接されている。また、湾曲固定部１７には飾り段部３ｃに固定するための孔１７ａが穿設されている。１９ａはスリン固定部１７に固定するための孔である。
【００２３】
図中、２０ａ，２０ｂは竿石４、スリン６、座布団７及び上台３を貫通して保持される貫通ボルトであり、当該貫通ボルト２０ａ，２０ｂによって墓石の内部において竿石、上石、中石等の中心位置がズレることなく倒壊を防止している。そのため、固定用化粧金具と共に固定効果が高まるものとなる。本考案においては少なくとも２本以上の貫通ボルトにより保持することにより、竿石等が回転してズレることを防止することができる。
【００２４】
図１２は、第３考案の第２実施例の斜視図であり、図１３は、同第３考案の第３実施例の斜視図であり、図１４は、同第３考案の第４実施例の斜視図である。
【００２５】
図において、２１は第３の化粧金具の第２実施例である。この実施例においては上記したスリン固定部１９が設けられていないものであるが、その他の点については同一であり、同一付記番号の部分は同一部分を示してある。２２は第３の化粧金具の第３実施例である。この実施例においては、上台３の上面に飾り段部３ａの他に段差部が形成された場合、当該段差部を一体的に保持する際の段差固定部２３を形成したものである。その他の点については同一であり、同一付記番号の部分は同一部分を示してある。２５は第３の化粧金具の第４実施例である。この実施例においては、上台３や中台２の接合面が傾斜面に形成されている場合の傾斜固定部２６に形成されている。その他の点については同一であり、同一付記番号の部分は同一部分を示してある。
【００２６】
上記したような第１、第２及び第３の化粧金具は、いずれも風雨などによる腐食を防止するために例えばステンレス製などにより形成することが望ましい。
【産業上の利用可能性】
【００２７】
我が国においてはそのほとんどの地域において活断層が存在するといわれており、このような国土における墓地の墓石に本考案に係る墓石の固定用化粧金具を用いることにより、地震などによる墓石の倒壊と墓石の損傷を防止することができる。
【図面の簡単な説明】
【００２８】
【図１】本考案に係る墓石の固定用化粧金具により墓石を固定した状態の正面図である。
【図２】同墓石を分解した状態の正面図である。
【図３】本考案に係る墓石の固定用化粧具であり、第１発明の斜視図である。
【図４】本考案に係る墓石の固定用化粧具であり、第１発明の他実施例の斜視図である。
【図５】図３における断面図である。
【図６】図４における断面図である。
【図７】本考案に係る墓石の固定用化粧具であり、第２考案の斜視図である。
【図８】本考案に係る墓石の固定用化粧具であり、第２考案の他実施例の斜視図である。
【図９】図７における断面図である。
【図１０】図８における断面図である。
【図１１】本考案に係る墓石の固定用化粧具であり、第３考案の斜視図である。
【図１２】本考案に係る墓石の固定用化粧具であり、第３考案の第２実施例の斜視図である
【図１３】本考案に係る墓石の固定用化粧具であり、第３考案の第３実施例の斜視図である
【図１４】本考案に係る墓石の固定用化粧具であり、第３考案の第４実施例の斜視図である
【図１５】従来の墓石の斜視図である。
【符号の説明】
【００２９】
１  下台
２  中台
３  上台
４  竿石
５  香炉台
６  スリン
７  座布団
８  第１の化粧金具
９  水平固定部
１０  垂直固定部
１１  第２の化粧金具
１２  傾斜固定部
１３  垂直固定部
１４，１５  段差部
１６，２１，２２，２５  第３の化粧金具
２０  貫通ボルト
【図１】
0003100664.tif 000003
【図２】
0003100664.tif 000004
【図３】
0003100664.tif 000005
【図４】
0003100664.tif 000006
【図５】
0003100664.tif 000007
【図６】
0003100664.tif 000008
【図７】
0003100664.tif 000009
【図８】
0003100664.tif 000010
【図９】
0003100664.tif 000011
【図１０】
0003100664.tif 000012
【図１１】
0003100664.tif 000013
【図１２】
0003100664.tif 000014
【図１３】
0003100664.tif 000015
【図１４】
0003100664.tif 000016
【図１５】
0003100664.tif 000017